(57)【要約】【課題】手摺ブラケットと固定対象との間の固定強度を安定的に保ち得ると共に、手摺棒の使用の妨げになることを抑制し得る手摺ブラケットを提供する。【解決手段】固定対象１０１に固定されると共に、手摺棒２００を支持する手摺支持体２００と、前記手摺支持体２００に設けられ、前記手摺棒５００を受ける第１の受部２１０と、前記手摺支持体２００に設けられ、前記固定対象１０１を受ける第２の受部２３０と、前記手摺棒５００の前記第１の受部２１０に固定される部位とは異なる部位において前記手摺棒５００に当接し、前記手摺棒５００を前記第１の受部２１０に固定する第１の固定手段５１６とは異なる第１のカバー固定手段５１７により前記手摺棒５００に固定される第１の固定部３１０と、前記固定対象１０１に固定される第２の固定部３３０とを有するカバー部材３００とを備える。【選択図】図２
2013023863.tif 000002
【特許請求の範囲】
【請求項１】
固定対象に固定されると共に、手摺棒を支持する手摺支持体と、
前記手摺支持体に設けられ、前記手摺棒を受ける第１の受部と、
前記手摺支持体に設けられ、前記固定対象を受ける第２の受部と、
前記手摺棒の前記第１の受部に固定される部位とは異なる部位において前記手摺棒に当接し、前記手摺棒を前記第１の受部に固定する第１の固定手段とは異なる第１のカバー固定手段により前記手摺棒に固定される第１の固定部と、前記固定対象に固定される第２の固定部とを有するカバー部材と
を備えることを特徴とする手摺ブラケット。
【請求項２】
前記第２の固定部は、
前記手摺支持体の前記第２の受部を前記固定対象に固定する第２の固定手段とは異なる第２のカバー固定手段によって前記固定対象に固定されることにより、前記第２の受部を前記固定対象との間で挟み込むことを特徴とする請求項１に記載の手摺ブラケット。
【請求項３】
前記第１の固定手段は、第１のねじであり、前記第１のカバー固定手段は、第２のねじであり、
前記カバー部材は、前記手摺支持体を覆うと共に、前記第１及び第２のねじの頭部を覆うことを特徴とする請求項１又は請求項２に記載の手摺ブラケット。
【請求項４】
前記第１の固定手段は、第１のねじであり、前記第１のカバー固定手段は、第２のねじであり、
前記カバー部材は、前記手摺支持体を覆うと共に、前記手摺棒が前記第１の受部に固定された状態において、前記手摺棒の長手方向に沿う切欠き部を有することを特徴とする請求項１又は請求項２に記載の手摺ブラケット。
【発明の詳細な説明】
【技術分野】
【０００１】
本発明は、壁面等に手摺棒を固定するための手摺ブラケットに関する。
【背景技術】
【０００２】
従来、壁面等に手摺棒を固定するものとして、いわゆる手摺ブラケットがある。この手摺ブラケットは、壁面等に固定される壁面固定部と、手摺棒を固定する手摺棒固定部とを有し、壁面固定部を壁面に対してねじ止めすると共に、手摺棒固定部に手摺棒をねじ止めすることにより、当該手摺ブラケットを介して、壁面に手摺棒を固定することができるようになっている。
【０００３】
このような従来の手摺ブラケットとして、補強部材を用いて当該手摺ブラケットを補強するものが考えられている（特許文献１、特許文献２参照）。この手摺ブラケットにおいては、手摺ブラケットの壁面固定部を壁面にねじ止めする際に、壁面固定用のねじによって、壁面固定部とともに補強部材を固定し、また、手摺ブラケットの手摺固定部に手摺棒をねじ止めする際に、手摺固定用のねじによって、手摺棒固定部とともに補強部材を固定するように構成されている。
【０００４】
また、従来の手摺ブラケットとして、ブラケット本体を化粧部材によって覆うことにより、美観を向上させるようにしたものが考えられている（特許文献３参照）。
【先行技術文献】
【特許文献】
【０００５】
【特許文献１】特開２００５−１４６７４２号公報
【特許文献２】特開２００５−２２０５５８号公報
【特許文献３】特開平１１−３２４２１７号公報
【発明の概要】
【発明が解決しようとする課題】
【０００６】
ところで、手摺ブラケットを補強部材によって補強する構成においては、手摺ブラケットの壁面固定部に補強部材の一部を重ね、共通のねじによってこれら壁面固定部及び補強部材をまとめて壁面にねじ止めすると共に、手摺ブラケットの手摺固定部に補強部材の他の一部を重ね、共通のねじによってこれら手摺固定部及び補強部材をまとめて手摺にねじ止めすることにより、手摺ブラケットの支持強度を、補強部材によって補強するようになっている。
【０００７】
このような構成においては、手摺ブラケットの壁面固定部と手摺固定部において、それぞれ、手摺ブラケット及び補強部材を重ねてねじ止めするように構成されており、これらねじ固定部によって、手摺ブラケットと補強部材を一体化することで、手摺ブラケットを補強するようになっている。
【０００８】
ところが、補強部材が破損してねじ固定部から脱落するような場合には、手摺ブラケット及び補強部材を重ねてねじ止めしていたねじ固定部において、補強部材が無くなった分、手摺ブラケットのねじ止めが緩くなって、がたつきが生じる問題があった。
【０００９】
また、手摺ブラケット及び補強部材を重ねて壁面に固定する構成においては、補強部材を交換する場合等に、手摺ブラケット及び補強部材を共通にねじ止めしているねじを外す必要がある。すなわち、補強部材を交換するために、手摺ブラケットも壁面から取り外す必要があり、作業が煩雑になる問題があった。また、手摺ブラケットと壁面との間に働く応力は比較的大きくなることにより、手摺ブラケットと壁面との間の固定状態を安定に保つためには、一旦壁面に手摺ブラケットを固定した後は、手摺ブラケットをできるだけ固定したままの状態を維持することが望ましい。
【００１０】
また、手摺ブラケットに手摺棒をねじ止めするねじ固定部において、手摺ブラケット及び補強部材を重ねてねじ止めする構成においては、手摺ブラケット及び補強部材を重ねる分、ねじの頭部の手摺棒表面からの飛び出し高さが高くなる。この場合、手摺ブラケットを装着した状態での外観のデザイン性を損なう問題があった。また、手摺棒の使用時において、使用者の手摺棒を持つ手が突出したねじ頭に当り易くなり、手摺につかまりながら歩く際の妨げになる問題があった。
【００１１】
また、手摺ブラケットに手摺棒を固定するねじのねじ頭の飛び出しを隠すために、手摺ブラケットにカバーを設ける構成が考えられる。しかしながら、ねじ頭の取り出し高さが高くなると、その分、カバーの厚みを厚くする必要があり、手摺ブラケットのデザイン性を損なうと共に、手摺棒の使用時において、使用者の手摺棒を持つ手が手摺ブラケットに当り易くなって手摺につかまりながら歩く際の妨げになる問題があった。
【００１２】
そこで、本発明は、手摺ブラケットと固定対象との間の固定強度を安定的に保ち得ると共に、手摺棒の使用の妨げになることを抑制し得る手摺ブラケットを提供することを目的とする。
【課題を解決するための手段】
【００１３】
本発明の実施の形態に係る特徴は、固定対象に固定されると共に、手摺棒を支持する手摺支持体と、前記手摺支持体に設けられ、前記手摺棒を受ける第１の受部と、前記手摺支持体に設けられ、前記固定対象を受ける第２の受部と、前記手摺棒の前記第１の受部に固定される部位とは異なる部位において前記手摺棒に当接し、前記手摺棒を前記第１の受部に固定する第１の固定手段とは異なる第１のカバー固定手段により前記手摺棒に固定される第１の固定部と、前記固定対象に固定される第２の固定部とを有するカバー部材とを備えることである。
【００１４】
この構成においては、手摺棒に対して、手摺支持体を固定する第１の受部と、カバー部材を固定する第１の固定部とを、手摺棒の異なる領域に当接させて別々の固定手段で固定するようにしたことにより、手摺棒を固定するため第１の固定手段及び第１のカバー固定手段の飛び出し量を少なくすることができる。
【００１５】
本発明の実施の形態に係る特徴は、上記構成において、前記第２の固定部は、前記手摺支持体の前記第２の受部を前記固定対象に固定する第２の固定手段とは異なる第２のカバー固定手段によって前記固定対象に固定されることにより、前記第２の受部を前記固定対象との間で挟み込むことである。
【００１６】
この構成においては、カバー部材を固定対象に固定するための第２のカバー固定手段と、手摺支持体を固定対象に固定するための第２の固定手段とを別々に設けることにより、カバー部材が破損して脱落した場合であっても、手摺支持体の固定対象への固定状態を保つことができる。また、カバー部材を固定対象に固定する第２の固定部によって、手摺支持体と固定対象との固定部を押さえることにより、当該固定部の固定状態を補強することができる。
【００１７】
本発明の実施の形態に係る特徴は、上記構成において、前記第１の固定手段は、第１のねじであり、前記第１のカバー固定手段は、第２のねじであり、前記カバー部材は、前記手摺支持体を覆うと共に、前記第１及び第２のねじの頭部を覆うことである。
【００１８】
この構成においては、第１及び第２のねじの頭部の飛び出し量が抑えられる分、第１及び第２のねじの頭部を覆うカバー部材の厚みを抑えることができる。これにより、デザイン性を向上し得ると共に、手摺棒につかまりながら歩行する際に、カバー部材が邪魔になることを抑制することができる。
【００１９】
本発明の実施の形態に係る特徴は、上記構成において、前記第１の固定手段は、第１のねじであり、前記第１のカバー固定手段は、第２のねじであり、前記カバー部材は、前記手摺支持体を覆うと共に、前記手摺棒が前記第１の受部に固定された状態において、前記手摺棒の長手方向に沿う切欠き部を有することである。
【００２０】
この構成においては、カバー部材の一部が手摺棒の長手方向に沿う方向に切り欠かれていることにより、手摺棒につかまって歩行する場合に、カバー部材が邪魔になることを抑制することができる。
【発明の効果】
【００２１】
本発明によれば、手摺ブラケットと固定対象との間の固定強度を安定的に保ち得ると共に、手摺棒の使用の妨げになることを抑制し得る手摺ブラケットを提供することができる。
【図面の簡単な説明】
【００２２】
【図１】実施の形態の手摺装置を示す斜視図である。
【図２】手摺装置の構成を示す断面図である。
【図３】手摺装置の構成を示す斜視図である。
【図４】手摺装置の手摺支持体の構成を示す斜視図である。
【図５】手摺装置のカバー部材の構成を示す斜視図である。
【図６】手摺支持体及びカバー部材の係合状態を示す上面図である。
【図７】手摺支持体及びカバー部材の係合状態を示す断面図である。
【図８】手摺ブラケット及び壁面の固定状態を示す拡大断面図である。
【図９】手摺支持体及びカバー部材の係合状態を示す斜視図である。
【図１０】カバー部材の壁面固定部の構成を示す斜視図である。
【図１１】手摺支持体及びカバー部材の係合状態を示す背面図である。
【図１２】手摺支持体及びカバー部材の係合状態を示す正面図である。
【図１３】手摺ブラケットの壁面への取り付け方法の説明に供する斜視図である。
【図１４】手摺ブラケットの壁面への取り付け方法の説明に供する斜視図である。
【図１５】手摺ブラケットの壁面への取り付け方法の説明に供する斜視図である。
【図１６】手摺ブラケットの壁面への取り付け方法の説明に供する斜視図である。
【図１７】手摺ブラケットの壁面への取り付け方法の説明に供する正面図である。
【図１８】他の実施の形態に係る手摺ブラケットを示す側面図である。
【発明を実施するための形態】
【００２３】
以下に、本発明に好適な実施形態について図面に基づいて説明する。
（実施の形態）
図１は、本実施の形態に係る手摺装置１００の外観を示す斜視図である。図１に示すように、手摺装置１００は、壁面１０１に固定される手摺ブラケット１１０と、この手摺ブラケット１１０に支持される手摺棒５００を主に備えている。
【００２４】
図２及び図３に示すように、手摺ブラケット１１０は、手摺支持体２００及びカバー部材３００によって構成されている。図４に示すように、手摺支持体２００は、金属部材により構成され、全体が曲折したアーム部２０１を主要部として、その両端に第１の受部２１０及び第２の受部２３０を有する。
【００２５】
第１の受部２１０は、第１の固定手段であるねじ５１６（図２、図３）によって手摺棒５００を固定するための部位であり、第２の受部２３０は、第２の固定手段であるねじ２１２（図２、図３）によって壁面１０１に固定される部位である。第２の受部２３０は、固定対象である壁面１０１の形状（平面形状）に応じて、平面状に形成されている。
【００２６】
第１の受部２１０における手摺棒５００の支持構造について説明する。第１の受部２１０には、第１の固定手段であるねじ５１６（図２、図３）を螺合させるためのねじ孔２１６が形成されている。また、手摺棒５００の周側面５０１にもねじ５１６を螺合させるためのねじ孔５１９（図２）が形成されている。これらねじ孔２１６、５１９を一致させるように位置合わせした後、ねじ５１６を螺合させることにより、第１の受部２１０に手摺棒５００をねじ止めすることができる。
【００２７】
なお、第１の受部２１０のねじ孔２１６は、必ずしもねじ溝が形成されてなくてもよく、ねじ５１６を挿通し得ると共に、当該ねじ５１６のねじ頭よりも径が小さければよい。
【００２８】
次に、手摺支持体２００の第２の受部２３０における壁面１０１への固定構造について説明する。上述したように、第２の受部２３０は、固定対象である壁面１０１の平面形状に合わせた平面状に形成されており、この第２の受部２３０を壁面１０１に当接するように位置合わせする。第２の受部２３０には、第２の固定手段であるねじ２１２（図２、図３）を螺合させるためのねじ孔２１７が形成されている。本実施の形態の場合、２つのねじ孔２１７を設け、各々にねじ２１２を螺合するようになっているが、ねじ孔２１７及びねじ２１２の数はこれに限られるものではない。
また、壁面１０１にもねじ２１２を螺合させるためのねじ孔１１７（図２）が形成されている。これらねじ孔２１７、１１７を一致させるように位置合わせした後、ねじ２１２を螺合させることにより、第２の受部２３０を壁面１０１にねじ止めすることができる。
【００２９】
なお、第２の受部２３０のねじ孔２１７は、必ずしもねじ溝が形成されてなくてもよく、ねじ２１２を挿通し得ると共に、当該ねじ２１２のねじ頭よりも径が小さければよい。
【００３０】
このように、第１の受部２１０に手摺棒５００をねじ止めすると共に、第２の受部２３０を壁面１０１にねじ止めすることにより、手摺支持体２００を介して、手摺棒５００を壁面１０１に固定することができる。
【００３１】
カバー部材３００（図２、図３）は、手摺支持体２００を覆うことで外観上の美感を持たせるものであり、ダイキャスト又は樹脂材料により形成されている。図５は、カバー部材３００を示す斜視図である。図５に示すように、カバー部材３００は、手摺支持体２００のアーム部２０１（図４）の曲折形状に合わせて曲折した曲面形状の背面部３０１と、側面部３０２、３０３と、手摺棒５００に固定される部位である手摺棒固定部３１０（第１の固定部）と、壁面１０１に固定される部位である壁面固定部３３０（第２の固定部）とを主に有している。背面部３０１に対向する正面部は開口しており、この開口部３０５には、後述する正面カバー３９０が取り付けられることにより、当該開口部３０５が閉塞されるようになっている。開口部３０５が閉塞されることにより、カバー部材３００の内部が正面から見えなくなり、外観上の美感を向上させることができる。側面部３０２、３０３の内側面には、正面カバー３９０を受けるためのストッパ３０５Ａが設けられており、開口部３０５を閉塞する正面カバー３９０の取り付け位置を規定する。
【００３２】
カバー部材３００の第１の固定部である手摺棒固定部３１０は、全体が手摺棒５００の周側面５０１の形状に合わせた凹状の曲面を有しており、この凹状の曲面に手摺棒５００の周側面５０１を受けるようになっている。手摺棒固定部３１０の一部には、開口部３１５が形成されており、この開口部３１５には、手摺支持体２００（図４）の第１の受部２１０が挿入される。具体的には、図２及び図３に示すようにカバー部材３００の内部に手摺支持体２００が収納されるように構成されており（換言すると、手摺支持体２００の周囲をカバー部材３００が覆うように構成されており）、カバー部材３００の内部に収納された手摺支持体２００の第１の受部２１０が、カバー部材３００の手摺棒固定部３１０に形成された開口部３１５を介して外部に表出する。この場合、手摺支持体２００の第１の受部２１０と、カバー部材３００の手摺棒固定部３１０とは、略面一となることにより、第１の受部２１０及び手摺棒固定部３１０の両方がそれぞれ個別に手摺棒５００の周側面５０１に当接するようになっている。
【００３３】
カバー部材３００の手摺棒固定部３１０には、ねじ孔３１６（図５）が形成されており、このねじ孔３１６を介して、第１のカバー固定手段であるねじ５１７（図３）を手摺棒５００の周側面５０１に設けられたねじ孔（図示せず）に螺合することにより、手摺棒固定部３１０（すなわちカバー部材３００）を手摺棒５００の周側面５０１にねじ止めすることができる。因みに、手摺棒５００の周側面５０１には、手摺支持体２００のねじ孔２１６と、カバー部材３００のねじ孔３１６にそれぞれ対応する位置にねじ孔が形成されており、手摺支持体２００のねじ孔２１６を介してねじ５１６を周側面５０１の対応するねじ孔に螺合すると共に、カバー部材３００のねじ孔３１６を介してねじ５１７を周側面５０１の対応するねじ孔に螺合することができるようになっている。
【００３４】
このように、手摺支持体２００の第１の受部２１０と、カバー部材３００の手摺棒固定部３１０とは、手摺棒５００の周側面５０１の別々の領域に当接し、当該周側面５０１に対して別々にねじ止めされる。図６は、カバー部材３００の手摺棒固定部３１０の開口部３１５に手摺支持体２００の第１の受部２１０が挿入された状態を示す上面である。図６に示すように、カバー部材３００の手摺棒固定部３１０に形成された開口部３１５の大きさは、手摺支持体２００の第１の受部２１０に干渉しない程度の大きさに形成されていることにより、当該第１の受部２１０は、カバー部材３００に干渉することなく、独立して手摺棒５００の周側面５０１にねじ止めされる。
【００３５】
なお、手摺棒固定部３１０のねじ孔３１６は、必ずしもねじ溝が形成されてなくてもよく、ねじ５１７を挿通し得ると共に、当該ねじ５１７のねじ頭よりも径が小さければよい。
【００３６】
カバー部材３００の第２の固定部である壁面固定部３３０は、固定対象である壁面１０１の平面形状に合わせた平面状に形成されており、この壁面固定部３３０を壁面１０１に当接させる。壁面固定部３３０には、第２のカバー固定手段であるねじ３１２（図２、図３）を螺合させるためのねじ孔３１７が設けられている。また、壁面１０１にもねじ３１２を螺合させるためのねじ孔１１８が形成されている。これらねじ孔３１７、１１８を一致させるように位置合わせした後、ねじ３１２を螺合させることにより、壁面固定部３３０を壁面１０１にねじ止めすることができる。カバー部材３００の壁面固定部３３０の壁面１０１への固定は、手摺支持体２００の第２の受部２３０の壁面１０１への固定とは異なるねじ３１２を用いて、壁面１０１の異なるねじ孔１１８に対してねじ止めされる。すなわち、カバー部材３００の壁面１０１への固定は、手摺支持体２００の壁面１０１への固定とは異なる固定手段を用いて個別に行われるように構成されている。
【００３７】
なお、壁面固定部３３０のねじ孔３１７は、必ずしもねじ溝が形成されてなくてもよく、ねじ３１２を挿通し得ると共に、当該ねじ３１２のねじ頭よりも径が小さければよい。
【００３８】
このように、カバー部材３００の壁面固定部３３０を壁面１０１にねじ止めすると共に、手摺棒固定部３１０に手摺棒２００をねじ止めすることにより、カバー部材３００を壁面１０１と手摺棒５００との間に装着すことができる。
【００３９】
ここで、カバー部材３００と手摺棒支持体２００との関係について説明する。上述したように、手摺支持体２００とカバー部材３００とは、個別に壁面１０１に固定されると共に、個別に手摺棒５００を固定するようになっている。カバー部材３００は、手摺支持体２００の周囲を覆って外観上の美感を持たせることを目的としているため、カバー部材３００と手摺支持体２００とは、互いに密接した状態で取り付けられる必要がある。本実施の形態の場合、カバー部材３００の内部に手摺支持体２００が収納されるようにして、これらを個別に壁面１０１及び手摺棒５００に固定するようになっている。
【００４０】
具体的には、図５に示すように、カバー部材３００の壁面固定部３１０には、背面部３０１に隣接する位置に方形状の孔部３３５が形成されており、この孔部３３５に、手摺支持体２００の第２の受部２３０を挿通させるようになっている。これにより、背面部３０１に沿って、カバー部材３００の内部に収納された手摺支持体２００は、その先端部である第２の受部２３０を、カバー部材３３０から外部に引き出して壁面１０１に固定することができる。
【００４１】
カバー部材３００への手摺支持体２００の挿入方法としては、図７に示すように、まず、手摺支持体２００の第１の受部２１０を、カバー部材３００の孔部３３５に挿入した後、矢印ａ方向にスライドさせ、第１の受部２１０を、カバー部材３００の手摺棒固定部３１０に形成された開口部３１５へ挿入させる。これにより、手摺支持体２００の第２の受部２３０は、カバー部材３００の壁面固定部３３０の壁面固定側に形成された凹部３３７に挿入された状態となる。凹部３３７の深さｂは、手摺支持体２００の第２の受部２３０の厚みと同等又はそれよりも僅かに小さく形成されている。これにより、図８に示すように、カバー部材３００に手摺支持体２００を収納させた状態で、手摺支持体２００及びカバー部材３００をそれぞれ個別に壁面１０１にねじ止めした際に、カバー部材３００の壁面固定部３３０によって、手摺支持体２００の第２の受部２３０が壁面１０１に押し付けられるようになっている。これにより、壁面１０１に対する手摺支持体２００の固定状態を、カバー部材３００の壁面固定部３３０によって補強することができる。
【００４２】
因みに、図８に示すように、正面カバー３９０には、カバー部材３００の内方へ突出する突起部３９１が形成されており、当該正面カバー３９０をカバー部材３００の開口部３０５に装着した際に、突起部３９１によってねじ３１２の頭部を押さえるようになされている。これにより、ねじ３１２が緩むことを防止することができる。
【００４３】
なお、図９は、カバー部材３００の壁面固定部３３０を正面側の開口部３０５側から見た状態を示す斜視図である。図９及び上述の図７に示すように、手摺支持体２００をカバー部材３００に収納した状態においては、カバー部材３００のねじ孔３３１（図５）と手摺支持体２００のねじ孔２３１（図４）に仮止めねじ３６０（図７、図９）を螺合させることによって、手摺支持体２００とカバー部材３００とを一体化することができる。このように一体化された状態で、手摺支持体２００を壁面１０１に固定すると共に、カバー部材３００を壁面に固定することにより、個別に取り付ける場合に比べて、取付作業を一段と行い易くすることができる。
【００４４】
手摺支持体２００の第２の受部２３０及びカバー部材３００の壁面固定部３３０についてさらに詳述する。
【００４５】
図１０は、カバー部材３００の壁面固定部３３０の詳細を示す斜視図であり、図１１は、カバー部材３００の壁面固定部３３０の凹部３３７に、手摺支持体２００の第２の受部２３０が装着された状態を示す背面図である。図１０に示すように、壁面固定部３３０には、上述した凹部３３７が形成されており、手摺支持体２００の第２の受部２３０を挿入させるようになっている。凹部３３７は、カバー部材３００のねじ孔３１７を形成したねじ孔形成部３１８を避けるように形成され、これに応じて、手摺支持体２００の第２の受部２３０には幅狭部２３３が形成されている（図４）。カバー部材３００側のねじ孔３１７は、カバー部材３００を手摺支持体２００とは別に壁面１０１に固定するためのものであり、ねじ孔形成部３１８は、直接壁面１０１に当接させる必要がある。従って、このねじ孔形成部３１８を避けるように凹部３３７を形成することにより、壁面固定部３３０（ねじ孔形成部３１８）をできるだけ大きな面積で壁面１０１に当接させることと、凹部３３７の面積をできるだけ大きくとることとを両立させることができる。すなわち、手摺支持体２００が壁面１０１にねじ止めされた状態において、カバー部材３００を壁面１０１にねじ止めする場合に、手摺支持体２００の第２の受部２３０を壁面１０１に押し付ける機能を発揮する凹部３３７をできるだけ大きく形成することにより、手摺支持体２００の壁面１０１への固定状態を十分に補強することが可能となる。
【００４６】
また、凹部３３７には、手摺支持体２００の第２の受部２３０に形成されたねじ孔２１７の位置に対応させて孔部３３９が形成されている。図１２は、手摺支持体２００の第２の受部２３０と、カバー部材３００の壁面固定部３３０とが重なった状態を、カバー部材３００の開口部３０５側から見た状態を示す正面図である。図１２に示すように、孔部３３９は、ねじ孔２１７に螺合されるねじ２１２（図２、図３）のねじ頭よりも大きな内径を有しており、ねじ２１２による第２の受部２３０の壁面１０１への固定に、カバー部材３００が関与しない構成となっている。このように、手摺支持体２００の壁面１０１への固定手段であるねじ２１２の螺合位置においても、凹部３３７を形成することにより、一段と凹部３３７の面積を大きくとることができ、手摺支持体２００の第２の受部２３０の壁面１０１への固定状態を、一段と十分に補強することが可能となる。
【００４７】
次に、手摺支持体２２０を壁面１０１に仮固定するための構造について説明する。図４に示すように、手摺支持体２００の第２の受部２３０には、長孔２４０が形成されている。この長孔２４０は、仮固定ねじ４０１のねじ頭よりも小さい内径を有し、仮固定ねじ４０１によって固定可能な第１の孔部２４０Ａと、仮固定ねじ４０１のねじ頭よりも大きな内径を有する第２の孔部２４０Ｂとを有する。
【００４８】
第１の孔部２４０Ａを介して、仮固定ねじ４０１を、壁面１０１に形成された仮固定用ねじ孔１２１に螺合することにより、手摺支持体２００を壁面１０１に仮固定することができる。この仮固定ねじ４０１によって手摺支持体２００を壁面１０１に仮固定した後、仮固定ねじ４０１を緩めて手摺支持体２００を上方に持ち上げることにより、第２の孔部２４０Ｂを介して、手摺支持体２００を一旦壁面１０１から取り外すことができる。これにより、例えば、壁面１０１に壁紙等を貼る作業を行い易くすることができる。なお、手摺支持体２００を壁面１０１から一旦取り外す際には、当該手摺支持体２００に仮止めねじ３６０によって一体化されているカバー部材３００も、手摺支持体２００と共に取り外されることになる。
【００４９】
この作業を行う間においては、仮固定ねじ４０１を壁面１０１に残しておくことにより、壁紙を貼る作業を終えた後に再度手摺支持体２００を壁面１０１に固定する際に、仮固定ねじ４０１によって固定位置を特定することができるため、取付作業を容易に行うことができる。
【００５０】
なお、カバー部材３００の壁面固定部３３０に設けられた凹部３３７には、手摺支持体２００の長孔２４０の位置に対応する位置に長孔３４０が形成されている。この長孔３４０は、仮固定ねじ４０１のねじ頭よりも大きな内径を有しており、手摺支持体２００をその長孔２４０に沿って上下に移動させた際に、カバー部材３００が手摺支持体２００と一体に移動し得るようになっている。
【００５１】
以上説明した手摺装置１００について、壁面１０１への取り付け方法を説明する。まず、図１３に示すように、手摺支持体２００及びカバー部材３００が仮止めねじ３６０（図７、図９）によって一体化された手摺ブラケット１１０を、仮固定ねじ４０１によって、壁面１０１に仮固定する。なお、図１３、図１５及び図１６においては、手摺支持体２００及びカバー部材３００が仮止めねじ３６０によって一体化された状態を示しており、カバー部材３００の壁面固定部３３０及び手摺支持体２００の第２の受部２３０は簡略的に一体化して示している。
【００５２】
図１３に示すように、予め壁面１０１に基準線Ｌ１を記入しておき、この基準線Ｌ１を目印にして仮固定ねじ４０１によって手摺ブラケット１１０を壁面１０１に仮固定する。そして、図１４に示すように、壁面１０１に仮固定された手摺ブラケット１１０の手摺固定部（手摺支持体２００の第１の受部２１０及びカバー部材３００の手摺棒固定部３１０）に、手摺棒５００を乗せ、手摺棒を固定するためのねじ５１６によって手摺棒５００を手摺棒支持体２００に固定すると共に、手摺棒を固定するためのねじ５１７によって手摺棒５００をカバー部材３００に固定する。すなわち、ねじ５１６、５１７によって手摺棒５００を手摺ブラケット１００に固定する。このように、手摺ブラケット１１０を壁面１０１に仮固定した状態において、手摺棒５００を手摺ブラケット１１０に固定することにより、例えば壁面１０１に壁紙等を貼る前であっても、手摺棒５００の取り付け状態を確認することができる。
【００５３】
なお、カバー部材３００の手摺棒固定部３１０は、全体が手摺棒５００の周側面５０１の形状に合わせた凹状の曲面を有していることにより、カバー部材３００と手摺支持体２００とが仮止めねじ３６０によって一体化された状態では、カバー部材３００の手摺棒固定部３１０によって、手摺棒５００の周側面５０１を受けることができる状態となっている。すなわち、手摺棒５００を取り付ける施工時において、手摺支持体２００及びカバー部材３００を壁面１０１に固定（仮固定）すれば、カバー部材３００の手摺棒固定部３１０によって手摺棒５００を受け止めることが可能な状態となっていることにより、手摺支持体２００の第１の受部２１０が比較的小さく形成されていても、カバー部材３００の手摺棒固定部３１０によって手摺棒５００の支持をサポートすることができる。これにより、手摺棒５００を手摺支持体２００の第１の受部２１０に固定する作業を一段と行い易くすることができる。
【００５４】
手摺ブラケット１１０に手摺棒５００を固定した状態において、図１５に示すように、仮固定ねじ４０１を緩め、手摺ブラケット１１０を手摺棒５００を固定したまま壁面１０１から取り外す。このとき、壁面１０１には、仮固定ねじ４０１が残っている。
【００５５】
この状態において、例えば、壁紙の貼り付け作業等を行うことにより、手摺ブラケット１１０や手摺棒５００が壁面１０１に取り付けられていない分、作業を容易に行うことが可能となる。
【００５６】
壁紙の貼り付け等の作業が終了すると、図１６及び図１７に示すように、手摺支持体２００の長孔２４０及びカバー部材３００の長孔３４０に壁面１０１の仮固定ねじ４０１を通してこれを締め付ける。そして、ねじ２１２を、カバー部材３００の孔部３３９（図５）及び手摺支持体２００のねじ孔２１７（図４）を介して壁面１０１のねじ孔１１７（図２）に螺合させる。カバー部材３００の長孔３４０は、仮固定ねじ４０１のねじ頭よりも大きな内径を有していることにより、仮固定ねじ４０１によって、手摺支持体２００の第２の受部２３０のみが壁面１０１に固定される。なお、カバー部材３００は、仮止めねじ３６０（図７、図９）によって手摺支持体２００に固定されている。
【００５７】
また、カバー部材３００の孔部３３９は、ねじ２１２のねじ頭よりも大きな内径を有していることにより、ねじ２１２によって、手摺支持体２００の第２の受部２３０のみが壁面１０１に固定される。一方、手摺支持体２００の第２の受部２３０には、幅狭部２３３が形成され、カバー部材３００のねじ孔形成部３１８を避けるようになっていることにより、ねじ３１２によってカバー部材３００のみが壁面１０１に固定される。
【００５８】
この状態においては、カバー部材３００がねじ３１２によって壁面１０１に固定されることに応じて、当該カバー部材３００の壁面固定部３３０（凹部３３７（図８））によって、手摺支持体２００の第２の受部２３０が壁面１０１に押し付けられることになる。すなわち、第２の受部２３０は、ねじ２１２によって壁面１０１に固定されることに加えて、カバー部材３３０からの押圧によっても、壁面１０１に対する固定状態が補強される。このような補強によって、特に大きな応力が加わる手摺支持体２００と壁面１０１との固定部を有効に補強することができる。
【００５９】
このようにして、手摺支持体２００及びカバー部材３００が壁面１０１に本固定された後、正面カバー３９０を、カバー部材３００の正面側に嵌めこむ。これにより、手摺支持体２００は、カバー部材３００及び正面カバー３９０によって覆われた状態となる。この状態においては、手摺支持体２００及びねじ２１２、３１２、４０１、５１６、５１７といった構成部品が外部から見えなくなることにより、外観上の美観を向上させることができる。
【００６０】
以上説明した手摺装置１００において、カバー部材３００を壁面１０１に固定するねじ２１２と、手摺支持体２００を壁面１０１に固定するねじ３１２とは、別々のねじを用いるようになっている。具体的には、上述したように、カバー部材３００の壁面固定部３３０には、当該カバー部材３００を壁面１０１に固定するためのねじ孔３１７が設けられていることに加えて、手摺支持体２００の第２の受部２３０を壁面１０１に固定するためのねじ２１２を挿通するための孔部３３９が上記ねじ孔３１７とは別に設けられている。この孔部３３９の内径は、手摺支持体２００の第２の受部２３０を壁面１０１に固定するためのねじ２１２の頭部の外径よりも大きく形成されている。すなわち、当該ねじ２１２は、手摺支持体２００の第２の受部２３０を壁面１０１に固定する機能を有しているのに対して、カバー部材３００の壁面固定部３３０を壁面１０１に固定する機能は有していない構成となっている。
【００６１】
このように、手摺支持体２００を壁面１０１に固定するためのねじ２１２と、カバー部材３００を壁面１０１に固定するためのねじ３１２とを別々に設けることにより、仮に、カバー部材３００が破損して、壁面１０１に固定される壁面固定部３３０が脱落した場合であっても、手摺支持体２００は、別のねじ２１２によって壁面１０１に固定されていることにより、当該手摺支持体２００の固定状態に影響を与えることがなくなる。すなわち、手摺支持体２００は安定的に壁面１０１に固定された状態を維持することになる。
【００６２】
また、手摺支持体２００を壁面１０１に固定するためのねじ２１２と、カバー部材３００を壁面１０１に固定するためのねじ３１２とを別々に設け、手摺支持体２００の第２の受部２３０を壁面１０１に固定した状態で、その上から、カバー部材３００の壁面固定部３３０を別のねじ３１２によって壁面１０１に固定することにより、手摺支持体２００及びカバー部材３００を壁面１０１に固定した状態において、カバー部材３００だけを壁面１０１から取り外すことが可能となる。すなわち、比較的大きな荷重がかかる手摺支持体２００と壁面１０１との固定部にあっては、手摺支持体２００を固定するためのねじ２１２を頻繁に外すことは好ましくない。本実施の形態のように、カバー部材３００を取り外す際に、手摺支持体２００を固定するためのねじ２１２を固定したまま、カバー部材３００を固定するねじ３１２のみを外す構成においては、手摺支持体２００を壁面１０１から外す必要がなくなる。これにより、カバー部材３００のみを簡単に交換することができる。
【００６３】
一方、手摺棒５００の固定側においては、手摺支持体２００の第１の受部２１０と、カバー部材３００の手摺棒固定部３１０とが、それぞれ個別に手摺棒５００の周側面５０１に当接し、別々のねじ５１６、５１７によってねじ止めされている。このように、手摺支持体２００の第１の受部２１０と、カバー部材３００の手摺棒固定部３１０とが、手摺棒５００の周側面５０１の異なる領域に当接する構成となっていることにより、手摺支持体２００の第１の受部２１０と、カバー部材３００の手摺棒固定部３１０とが重なることを回避することができる。
【００６４】
これにより、手摺支持体２００と手摺棒５００とを固定するためのねじ５１６の長さは、手摺支持体２００の第１の受部２１０を固定するだけの長さを有していればよく、また、カバー部材３００と手摺棒５００とを固定するねじ５１７の長さは、カバー部材３００の手摺棒固定部３１０を固定するだけの長さを有していればよい。すなわち、第１の受部２１０及び手摺棒固定部３１０を重ねて固定する場合に比べて、使用するねじの長さを短くすることができる。これにより、手摺ブラケット１１０（手摺支持体２００、カバー部材３００）にねじ止めされた手摺棒５００の周側面５０１から突出するねじ５１６、５１７の頭部の突出量を、少なくすることができる。
【００６５】
ねじ５１６、５１７の頭部の突出量を少なくすることができることにより、手摺ブラケット１１０を介して手摺棒５００を壁面１０１に固定した使用状態において、使用者が手摺棒５００につかまりながら歩行する場合に、ねじの飛び出しによって手摺棒５００を持ち変えるといった不都合を抑制することができる。
【００６６】
また、手摺棒５００を固定するためのねじ５１６、５１７の頭部の突出量を少なくすることができることにより、カバー部材３００の厚みＴ（図２）を薄くすることができる。具体的には、カバー部材３００は、手摺支持体２００を覆うことで、デザイン性を向上することを目的に装着されるものであり、カバー部材３００の厚みＴ（図２）は、手摺支持体２００全体を覆うことができる程度の厚みとなっている。すなわち、手摺棒５００を固定するためのねじ５１６、５１７の頭部が大きく突出している場合、その突出したねじ５１６、５１７の頭部を覆う程度のカバー部材３００の厚みが必要とされる。本実施の形態においては、ねじ５１６、５１７の突出量を少なく抑えることができることにより、その分、カバー部材３００の厚みＴを薄くすることができる。これにより、デザイン性を向上し得ると共に、手摺棒５００につかまって歩行する場合に、カバー部材３００が邪魔になることを抑制することができる。
【００６７】
なお、上述の実施の形態においては、カバー部材３００の厚みＴ（図２）を、手摺棒固定部３１０から壁面固定部３３０にかけて徐々に大きくなるように形成する場合について述べたが、これに限られるものではなく、例えば、図１８に示すように、手摺棒固定部３１０の近傍に切欠き部６０１を形成するようにしてもよい。この切欠き部６０１は、カバー部材３００に手摺棒５００を固定するためのねじ５１６、５１７のねじ頭が隠れる程度の距離だけ手摺棒固定部３１０から離間した位置に形成されている。これにより、ねじ５１６、５１７の頭部が外部から見えなくなるように構成しつつ、手摺棒５００の使用時において、使用者が手摺棒５００につかまりながら歩行する際に切欠き部６０１を介して手摺棒５００につかまった状態を維持することができる。これにより、手摺ブラケット１１０の取り付け位置においても、手摺棒５００から手を離すことなく、使用感を向上させることができる。
【００６８】
また、上述の実施の形態においては、手摺棒５００を壁面１０１に固定する場合について述べたが、これに限られるものではなく、壁面以外の構造物に手摺棒５００を取り付ける場合に広く適用することができる。
【００６９】
（手摺ブラケットの概要）
本発明の実施の形態における手摺ブラケット１１０は、固定対象（壁面１０１）に固定されると共に、手摺棒５００を支持する手摺支持体２００と、前記手摺支持体２００に設けられ、前記手摺棒５００を受ける第１の受部２１０と、前記手摺支持体２００に設けられ、前記固定対象（壁面１０１）を受ける第２の受部２３０と、前記手摺棒５００の前記第１の受部２１０に固定される部位とは異なる部位において前記手摺棒５００に当接し、前記手摺棒５００を前記第１の受部２１０に固定する第１の固定手段（ねじ５１６）とは異なる第１のカバー固定手段（ねじ５１７）により前記手摺棒５００に固定される第１の固定部（手摺棒固定部３１０）と、前記固定対象（壁面１０１）に固定される第２の固定部（壁面固定部３３０）とを有するカバー部材３００とを備えることである。
【００７０】
この構成においては、手摺棒５００に対して、手摺支持体２００を固定する第１の受部２１０と、カバー部材３００を固定する第１の固定部（手摺棒固定部３１０）とを、手摺棒５００の異なる領域に当接させて別々の固定手段（ねじ５１６、５１７）で固定するようにしたことにより、手摺棒５００を固定するため第１の固定手段（ねじ５１６）及び第１のカバー固定手段（ねじ５１７）の飛び出し量を少なくすることができる。
【００７１】
また、本発明の実施の形態における手摺ブラケット１１０は、上記構成において、前記第２の固定部（壁面固定部３３０）は、前記手摺支持体２００の前記第２の受部２３０を前記固定対象（壁面１０１）に固定する第２の固定手段（ねじ２１２）とは異なる第２のカバー固定手段（ねじ３１２）によって前記固定対象（壁面１０１）に固定されることにより、前記第２の受部２３０を前記固定対象（壁面１０１）との間で挟み込むことである。
【００７２】
この構成においては、カバー部材３００を固定対象（壁面１０１）に固定するための第２のカバー固定手段（ねじ３１２）と、手摺支持体２００を固定対象（壁面１０１）に固定するための第２の固定手段（ねじ２１２）とを別々に設けることにより、カバー部材３００が破損して脱落した場合であっても、手摺支持体２００の固定対象（壁面１０１）への固定状態を保つことができる。また、カバー部材３００を固定対象（壁面１０１）に固定する第２の固定部（壁面固定部３３０）によって、手摺支持体２００と固定対象（壁面１０１）との固定部を押さえることにより、当該固定部の固定状態を補強することができる。
【００７３】
また、本発明の実施の形態における手摺ブラケット１１０は、上記構成において、前記第１の固定手段（ねじ５１６）は、第１のねじであり、前記第１のカバー固定手段（ねじ５１７）は、第２のねじであり、前記カバー部材３００は、前記手摺支持体２００を覆うと共に、前記第１及び第２のねじの頭部を覆うことである。
【００７４】
この構成においては、第１及び第２のねじ（ねじ５１６、５１７）の頭部の飛び出し量が抑えられる分、第１及び第２のねじ（ねじ５１６、５１７）の頭部を覆うカバー部材３００の厚みＴを抑えることができる。これにより、デザイン性を向上し得ると共に、手摺棒５００につかまりながら歩行する際に、カバー部材３００が邪魔になることを抑制することができる。
【００７５】
また、本発明の実施の形態における手摺ブラケット１１０は、上記構成において、前記第１の固定手段（ねじ５１６）は、第１のねじであり、前記第１のカバー固定手段（ねじ５１７）は、第２のねじであり、前記カバー部材３００は、前記手摺支持体２００を覆うと共に、前記手摺棒５００が前記第１の受部２１０に固定された状態において、前記手摺棒５００の長手方向に沿う切欠き部６０１を有することである。
【００７６】
この構成においては、カバー部材３００の一部が手摺棒５００の長手方向に沿う方向に切り欠かれていることにより、手摺棒５００につかまって歩行する場合に、カバー部材３００が邪魔になることを抑制することができる。
【符号の説明】
【００７７】
１００  手摺装置
１０１  壁面
１１０  手摺ブラケット
１１７、１１８、２１６、２１７、３１６、３１７、５１９  ねじ孔
２００  手摺支持体
２１０  第１の受部
２１２、３１２、５１６、５１７  ねじ
２３０  第２の受部
３００  カバー部材
３１０  手摺棒固定部
３３０  壁面固定部
３６０  仮止めねじ
３９０  正面カバー
４０１  仮固定ねじ
【図１】
2013023863.tif 000003
【図２】
2013023863.tif 000004
【図３】
2013023863.tif 000005
【図４】
2013023863.tif 000006
【図５】
2013023863.tif 000007
【図６】
2013023863.tif 000008
【図７】
2013023863.tif 000009
【図８】
2013023863.tif 000010
【図９】
2013023863.tif 000011
【図１０】
2013023863.tif 000012
【図１１】
2013023863.tif 000013
【図１２】
2013023863.tif 000014
【図１３】
2013023863.tif 000015
【図１４】
2013023863.tif 000016
【図１５】
2013023863.tif 000017
【図１６】
2013023863.tif 000018
【図１７】
2013023863.tif 000019
【図１８】
2013023863.tif 000020